(57)【要約】      （修正有）【課題】天井下地となる野縁組の高強度化と短時間、簡便、高精度の施工要件を満たし、安全な天井の構築を実現できる下地組材の接合吊金物を提供する。【解決手段】天井等平滑面の仕上げ材を支持する下地材である野縁材の接合吊金物であり、交点に集合する野縁材２、３同士の上端から接合吊金物を被せて側面からビスｍｂにより接合し、緊結された野縁材の接合部分を接合吊金物上端から吊上げて、吊上プレートＢを介してビスｊ１とｊ２により横架材１に固定する。接合吊金物は、一枚の板金から野縁材幅を残し四辺の一辺毎両側を折下げてコの字型に整形し野縁材を四方、上方から挟持する支持板を含み、支持板が野縁材を掴みビス、釘を用いて直交する野縁材を緊結する。【選択図】図１
0003196423.tif 000002
【実用新案登録請求の範囲】
【請求項１】
天井等平滑面の仕上げ材を支持する下地材である野縁材の接合吊金物で、
交点に集合する野縁材同士を接合し接合部分から吊上げ横架材に固定することを特徴とする野縁材等下地組材の接合吊金物。
【請求項２】
一枚の板金から野縁材幅を残し四辺の一辺毎両側を折下げてコの字型に整形し野縁材を上方から挟持する支持板を四方に構成し支持板が野縁材を掴みビス、釘等で緊結することを特徴とする請求項１記載の接合吊金物。
【請求項３】
接合吊金物の天板裏面の突出を避けるため
（１）吊上げプレートの突出を吸収する突出を天端中央部に設けている。
（２）接合吊金物上端裏面を野縁材同士の平滑の基準とした。
上記の特性を有することを特徴とする請求項２記載の接合吊金物。
【請求項４】
接合吊金物天端裏面に野縁材を押し当てることで接合吊金物各辺の垂れ下がりを防止することを特徴とする請求項３記載の接合吊金物。
【請求項５】
接合吊金物両側支持板下方に仮支持のため内側に向い半円形突起を設けたことを特徴とする請求項４記載の接合吊金物。
【請求項６】
接合吊金物の搬送を考慮し接合吊金物吊上プレートを接合金物本体と分離できることを特徴とする接合吊金物。
【請求項７】
吊上プレート両側に固定爪を設けこの固定爪を折曲することで緊結できることを特徴とする請求項５記載の接合吊金物。
【考案の詳細な説明】
【技術分野】
【０００１】  本考案は、木造建築物及び天井が存在する建築物に設ける天井の天井面材の下地組となる野縁材同士の接合部に用い横架材から吊るし横架材等床用構造部材から一定の距離の空間を確保する接合吊金物に関する。
【背景技術】
【０００２】  従来の住宅等木造建築物は横架材等構造部材に大断面部材を用い上階床面と下階天井面との間に天井懐と称する空間が自然の内に作られていたが、近年の建築基準法による高さ制限と構造強度やコストダウンによる影響から流通柱材や構造用面材等が定尺化されたことにより居室高さと天井裏空間の高さが取れなくなり次第にこの懐と称する余裕空間が存在する家が減少してきている。【０００３】  そのため、天井は床梁等横架材の下端面に直接張り上げ天井が構成されているため上階の音や振動が下階に伝搬している。【０００４】  この上階の音や振動を遮断する目的から樹脂製のワッシャーを介在させ伝搬音を減じる、樹脂製の吊木により空間を設けその影響を減じる工法を採用してはいるがその効果は限定的である。
【考案の開示】
【考案が解決しようとする課題】
【０００５】  上述の如く、従来の吊天井金物では野縁材を吊るすことはできても、直交する野縁材同士を接合しその接合部を利用し横架材等から吊るすことはできなかった。
野縁組を構成するには大工等の技術に頼らなければならなかったし、野縁材に仕口を設けても小断面の部材であるため強度的にも不可能と言わざるを得なかった。【０００６】  その大工等の技術とは主材野縁に直交する野縁材を直交する野縁材から斜め釘打ちやビス止めするもので上を向いて狭い空間で高精度平滑に野縁材同士を短時間で組み上げるには熟練した技術が必要とされる。【０００７】  本考案は斯様な点を鑑みなされたもので、その目的とするところは従来の施工より簡便且つ高精度に短時間で熟練した技術を必要とせずに空間を確保した野縁組を構成し、天井下地となる野縁組の高強度化と短時間、簡便、高精度の施工要件を満たし安全な天井の構築を実現することにある。
【課題を解決するための手段】
【０００８】  上述の目的を達成する本考案の野縁材の接合金物は一枚の正方形の板金の隅角部から中心に向い数ミリ幅の切れ目を入れ四辺の辺部分に野縁幅の平坦部と突出する挟持辺を残しその両側を９０度折下げ下方を狭幅にして野縁材を挟持するもので他三辺も同形状に加工し各辺とも同様の機能を持たせたものである。【０００９】  一例として、野縁材は長尺材を主材として短尺材が長尺材に直交して取り付けられることが多く施工の優先順位や方向性を考慮しなければならないが、接合金物を用いることで方向性が自在に確定し、施工順位もそれに従い決定付られ施工者の都合により施工順位を考慮することができる。【００１０】  更に、全て接合部に集合する野縁材は接合金物を介し全て接合金物側面からビス、釘止めされ高精度且つ高強度に緊結される。
【考案の効果】
【００１１】  以上説明したように本考案によれば、野縁材は一般流通部材が用いられることが多く寸法形状も多量に流通していることや小断面のため比較的高精度で、接合金物天端裏面を基準とすれば野縁材同士の接合も不陸無く簡便に行うことが可能である。【００１２】  又、接合金物と吊金物は同厚の板金を採用しているため吊金物分の厚みを接合金物天端上方に突き出す（絞る）ことで吊金物側の板金厚を考慮する必要が無く施工者は安心して不陸無く施工することができ、野縁材の接合吊金物への仮留も仮留突起ｎを野縁材側面から圧力を掛け押し込むことにより簡単に行える。【００１３】
【考案を実施するための最良の形態】
【００１４】  以下、本考案の実施の形態を図面に基づき詳細に説明する。
図１は接合吊金物の部分断面斜視図、図２は接合吊金物を取り付けた状態の縦断面図、図３は接合部の野縁材の接合状態を示す斜視図であり、図４は接合吊金物の斜視図であり、図５は支持板の仮留突起ｎである。【００１５】  図１に示すように主材野縁材２は接合吊金物Ａによって短材野縁材３及び４と接合されており、その接合はビスｍｂにより固定され接合吊金物の各支持板ａ，ｂ，ｃ，ｄ，ｅ，ｆ，ｇ，ｈが野縁材を挟持しビスｍｂにより固定されている。【００１６】  主材及び短材野縁材は接合吊金物Ａの各支持板の間に挿入され接合部を構成しているがこの各支持板はその下方が互いに内側に向い若干狭めてあり野縁材は支持板間に掴まれ施工する際にも野縁材を挿入すれば接合吊金物のスプリング効果と仮留によりその位置を維持することが出来るが、荷重が掛るため本格的な固定はビスｍｂを用い緊結しなければならない。
【実施例】
【００１７】  野縁材は施工者  が使い慣れた寸法の野縁材を使用して施工することが多く、この野縁材を規格化することにより事前に必要長さに切断することが可能になり現場での木材加工が少なくなり、工具もゴミも減少し高精度に吊天井の野縁組を構成することができる。
又、平坦な床上にてこの野縁組を組み吊り上げることも可能で高精度且つ簡便短時間に構成できる。【００１８】  更に、本考案の接合金物は構成する板金の板厚等を変更することで仕口を持たない部材同士の接合等にも用いることができ、その接合方法は野縁材の接合に限らず多くの構造体に活用することができる。【００１９】  以上、本考案の実施の形態、実施例を説明したが、本考案の範囲はこれに限定されるものではなく、仕口を持たない材料である軽量鉄骨造の天井下地組に活用することも可能で、その状況に応じ適宜選択されるものである。
【産業上の利用の可能性】
【００１９】  本考案は接合金物を製造する分野、建築物を施工する分野等で利用することが可能である。
【図面の簡単な説明】
【００２０】
【図１】  本考案第１の実施の形態に係る野縁材接合部の接合状態と横架材との関係を示す部分断面斜視図である。
【図２】  横架材に取り付けた接合吊金物によって組まれた野縁材の縦断面図である。
【図３】  野縁材の接合部の斜視図である。
【図４】  接合吊金物の斜視図である。
【図５】  仮留突起部の斜視図である。
【符号の説明】
【００２１】１                    横架材
２                    主材野縁材
３                    直交する短尺野縁材
４                    同上
Ａ                    接合吊金物
Ｂ                    接合吊金物吊上プレート
Ｄ                    吊上プレート固定爪
Ｅ                    固定爪挿入孔
ａ                    支持板
ｂ                    同上
ｃ                    同上
ｄ                    同上
ｅ                    同上
ｆ                    同上
ｇ                    同上
ｈ                    同上
ｊ１                  ビス、釘孔
ｊ２                  ビス、釘孔
ｋ                    位置調整用ビス、釘孔
ｍ                    支持板に設けたビス、釘孔
ｍｂ                  固定用ビス
ｎ                    仮留突起
ｔ                    接合吊金物天端
【図１】
0003196423.tif 000003
【図２】
0003196423.tif 000004
【図３】
0003196423.tif 000005
【図４】
0003196423.tif 000006
【図５】
0003196423.tif 000007
【手続補正書】
【提出日】平成26年12月17日(2014.12.17)
【手続補正１】
【補正対象書類名】実用新案登録請求の範囲
【補正対象項目名】請求項１
【補正方法】変更
【補正の内容】
【請求項１】
天井等平滑面の仕上げ材を支持する下地材である野縁材の接合吊金物で、
交点に集合する野縁材同士の上端から接合吊金物を被せ側面からビス、釘により接合し、その接合吊金物で緊結された接合部分の接合金物上端から吊上げ吊上プレートを介し横架材に固定することを特徴とする野縁材等下地組材の接合吊金物。
【手続補正２】
【補正対象書類名】実用新案登録請求の範囲
【補正対象項目名】請求項２
【補正方法】変更
【補正の内容】
【請求項２】
一枚の板金から野縁材幅を残し四辺の一辺毎両側を折下げてコの字型に整形し野縁材を上方から挟持する支持板を四方に構成し支持板が野縁材を掴みビス、釘を用い接合金物を介し直交する野縁材を緊結することを特徴とする請求項１記載の接合吊金物。
【手続補正３】
【補正対象書類名】実用新案登録請求の範囲
【補正対象項目名】請求項６
【補正方法】変更
【補正の内容】
【請求項６】
接合吊金物の搬送を考慮し接合吊金物上端に吊上プレートを挿入する長形スリットと固定用短形スリットを長形スッリット両側に設けこのスリット三か所に吊上プレートを挿入、抜き去ることで接合吊金物と接合金物本体とを分離、接合を簡便にできることを特徴とする請求項２記載の接合吊金物。